(57)【要約】【課題】複数のスラットの起立時にこれらのスラットによる窓等の遮蔽性を向上する。【解決手段】支持部材１３により巻取パイプ１４が回動可能に保持される。また透光性及び可撓性を有する一対のスクリーン１１，１２の上端が巻取パイプ１４の外周面にこの巻取パイプ１４の直径方向に間隔をあけてそれぞれ取付けられ、遮光性及び可撓性を有する複数のスラット１６が上記繰出された一対のスクリーン１１，１２間に鉛直方向に間隔をあけてそれぞれ掛け渡される。またスラット１６の角度を調節するため又はスクリーン１１，１２をスラット１６とともに繰出し可能に巻取るために、操作部材１７を操作して巻取パイプ１４を回動させる。更に重心が上記繰出された一対のスクリーン１１，１２のうち巻取パイプ１４に後から巻取られるスクリーン１１側にずれるようにボトムレール１８が一対のスクリーン１１，１２の下端に取付けられる。【選択図】図１
2015078559.tif 000002
【特許請求の範囲】
【請求項１】
壁、天井又は窓枠に取付けられた支持部材(13)と、
水平方向に延びて設けられ前記支持部材(13)により回動可能に保持された巻取パイプ(14)と、
上端が前記巻取パイプ(14)の外周面にこの巻取パイプ(14)の直径方向に間隔をあけてそれぞれ取付けられ前記巻取パイプ(14)に繰出し可能に巻取られかつ透光性及び可撓性を有する一対のスクリーン(11,12)と、
前記繰出された一対のスクリーン(11,12)間に鉛直方向に間隔をあけてそれぞれ掛け渡され遮光性及び可撓性を有する複数のスラット(16)と、
前記複数のスラット(16)の角度を調節するため又は前記一対のスクリーン(11,12)を前記複数のスラット(16)とともに繰出し可能に巻取るために操作され前記巻取パイプ(14)を回動させる操作部材(17)と、
前記一対のスクリーン(11,12)の下端に取付けられ重心が前記繰出された一対のスクリーン(11,12)のうち前記巻取パイプ(14)に後から巻取られるスクリーン(11)側にずれるように構成されたボトムレール(18)と
を備えた巻取式横型ブラインド。
【請求項２】
前記ボトムレール(18)の重心が前記繰出された一対のスクリーン(11,12)のうち前記巻取パイプ(14)に後から巻取られるスクリーン(11)の平面の延長面上に略位置するように構成された請求項１記載の巻取式横型ブラインド。
【請求項３】
前記一対のスクリーン(11,12)の下端及び前記複数のスラット(16)のうち最下段のスラット(16)の下端を集合させた状態で、前記一対のスクリーン(11,12)の下端及び前記最下段のスラット(16)の下端に前記ボトムレール(18)が取付けられた請求項１又は２記載の巻取式横型ブラインド。
【請求項４】
前記複数のスラット(16)が前記一対のスクリーン(11,12)より変形し難い材料により形成され、前記一対のスクリーン(11,12)を繰出して前記複数のスラット(16)が起立状態から傾斜状態又は水平状態になったときに、前記複数のスラット(16)が前記一対のスクリーン(11,12)の間隔を保つように構成された請求項１又は２記載の巻取式横型ブラインド。
【発明の詳細な説明】
【技術分野】
【０００１】
本発明は、巻取パイプの直径方向に間隔をあけた一対のスクリーン間に鉛直方向に間隔をあけて複数のスラットが掛け渡され、巻取パイプに一対のスクリーンとともに複数のスラットも巻取られるように構成された巻取式横型ブラインドに関するものである。
【背景技術】
【０００２】
従来、窓から差込む光量を制御する遮蔽体を取付けるための取付手段を有する長形の支持部材と、この支持部材の周囲に複数の凹部を与えるようにする不連続な面とからなる遮蔽体のローラが開示されている（例えば、特許文献１参照。）。上記遮蔽体は、可撓性材料により形成された第１及び第２平行シートと、これらのシート間にローラの軸線方向と平行に取付けられ上記シート同士を連結する複数の翼板を含む。また上記ローラは縦方向の軸線の周りに回転可能であり、上記取付手段が、支持部材に形成された溝部であってこの溝部が第１平行シートと翼板との間に取付部分を受容するように構成される。また第１又は第２平行シートのいずれか一方と翼板との間の取付部分を受容するように形成される底側レールが、その縦方向に平行な凹部を有する形の部材と、上記取付部分を上記凹部に保持するための手段とからなる。更に遮蔽体の底側縁部に沿って取付けられた長形の部材と、この長形の部材に取付けられた重錘とからなり、この重錘の位置が上記遮蔽体に対して横方向に調節可能であり、これにより巻上げ時の傾斜を防止するように上記重錘の横方向の位置が容易に調節されるように構成される。
【０００３】
一方、底側レールは、第１織地（第１平行シート）の下端に取付けられた後側の底部レール組立体と、後側の底部レール組立体とは別に設けられ翼板と第２織地（第２平行シート）との下端に取付けられた前側の底部レール組立体とにより構成されるか、或いは一側縁が第１織地（第１平行シート）の下端に取付けられかつ他側縁が翼板と第２織地（第２平行シート）との下端に取付けられた単一の底部レール組立体により構成される。また上記長形の部材及び重錘は、後側の底部レール組立体、又は単一の底部レール組立体に取付けられる。
【０００４】
このように構成された遮蔽体のローラでは、遮蔽体がローラに巻取られる際に遮蔽体の内側の層に形成された屈曲部を受入れるための凹部をなす外方に延びる丸い突出部によって形成された不連続な面をローラが有するので、遮蔽体の層中に永久的な折目又はしわを生じさせずかつ遮蔽体を左又は右に傾斜させずに遮蔽体を巻取ることができる。またヘッドローラへの遮蔽体の取付手段がローラの軸に平行なローラの凹部を備え、上側の翼板と一方の薄い織地（第１平行シート）との間の線状の取付部分がこの凹部に受入れられて所定位置に保持されるので、全ての翼板は相互に平行でありかつローラに対して平行になる。この結果、遮蔽体のローラへの位置合せを確実に行うことができる。更に底側レールが、製造及び装着の際に遮蔽体に傾斜を生じさせる不整合を補償するように選択的に横方向に配置される適当な重錘を有するので、遮蔽体の内側の層に形成された上記屈曲部がローラに巻取られるときに、遮蔽体の層に遮蔽体を左又は右に傾斜させるような高い点が生じないようになっている。
【先行技術文献】
【特許文献】
【０００５】
【特許文献１】特許第２６１０３７０号公報（請求項１、３及び５、段落［０００８］、［０００９］、［００２９］、［００３２］、図３、図５、図６、図１１）
【発明の概要】
【発明が解決しようとする課題】
【０００６】
しかし、上記従来の特許文献１に示された遮蔽体の底側レールでは、遮蔽体を全て繰出した状態から僅かにローラに巻取って複数の翼板を起立させて窓を遮蔽したときに、後側の底部レール組立体及び前側の底部レール組立体の位置関係や、第１及び第２平行シートの下端への単一の底部レール組立体の取付構造によって、各翼板間に隙間が発生するため、起立した複数の翼板で光を完全に遮断できないおそれがあった。
【０００７】
本発明の目的は、複数のスラットの起立時に、これらのスラットによる窓等の遮蔽性を向上できる、巻取式横型ブラインドを提供することにある。
【課題を解決するための手段】
【０００８】
本発明の第１の観点は、図１〜図４に示すように、壁、天井又は窓枠に取付けられた支持部材１３と、水平方向に延びて設けられ支持部材１３により回動可能に保持された巻取パイプ１４と、上端が巻取パイプ１４の外周面にこの巻取パイプ１４の直径方向に間隔をあけてそれぞれ取付けられ巻取パイプ１４に繰出し可能に巻取られかつ透光性及び可撓性を有する一対のスクリーン１１，１２と、上記繰出された一対のスクリーン１１，１２間に鉛直方向に間隔をあけてそれぞれ掛け渡され遮光性及び可撓性を有する複数のスラット１６と、複数のスラット１６の角度を調節するため又は一対のスクリーン１１，１２を複数のスラット１６とともに繰出し可能に巻取るために操作され巻取パイプ１４を回動させる操作部材１７と、一対のスクリーン１１，１２の下端に取付けられ重心が上記繰出された一対のスクリーン１１，１２のうち巻取パイプ１４に後から巻取られるスクリーン１１側にずれるように構成されたボトムレール１８とを備えた巻取式横型ブラインドである。
【０００９】
本発明の第２の観点は、第１の観点に基づく発明であって、更に図１〜図４に示すように、ボトムレール１８の重心が上記繰出された一対のスクリーン１１，１２のうち巻取パイプ１４に後から巻取られるスクリーン１１の平面の延長面上に略位置するように構成されたことを特徴とする。
【００１０】
本発明の第３の観点は、第１又は第２の観点に基づく発明であって、更に図１及び図６に示すように、一対のスクリーン１１，１２の下端及び複数のスラット１６のうち最下段のスラット１６の下端を集合させた状態で、一対のスクリーン１１，１２の下端及び最下段のスラット１６の下端にボトムレール１８が取付けられたことを特徴とする。
【００１１】
本発明の第４の観点は、第１又は第２の観点に基づく発明であって、更に図１〜図３に示すように、複数のスラット１６が一対のスクリーン１１，１２より変形し難い材料により形成され、一対のスクリーン１１，１２を繰出して複数のスラット１６が起立状態から傾斜状態又は水平状態になったときに、複数のスラット１６が一対のスクリーン１１，１２の間隔を保つように構成されたことを特徴とする。
【発明の効果】
【００１２】
本発明の第１の観点の巻取式横型ブラインドでは、一対のスクリーンの巻取り時に巻取パイプに後から巻取られるスクリーン側にボトムレールの重心をずらしたので、一対のスクリーンが全て繰出された状態で、先に一方のスクリーンのみが巻取られていくとき、ボトムレールの重心が後から巻取られる他方のスクリーン側に位置する状態に保たれる。この結果、他方のスクリーンにボトムレールの自重によるテンションが作用したまま、他方のスクリーンが一方のスクリーンに次第に近付いていくので、複数のスラットが速やかに起立する。従って、起立した各スラット間に発生する隙間が極めて小さくなり、かつ各スラットが遮光性を有するので、これらのスラットによる窓等の遮蔽性を向上できる。また、他方のスクリーンが一方のスクリーンとともに巻取パイプに巻取られたときに、内外のスクリーンの周長差により、巻取パイプに後から巻取られる他方のスクリーンに巻き皺が発生し易いけれども、ボトムレールの重心を他方のスクリーン側にずらしたので、他方のスクリーンにテンションが加わる。この結果、他方のスクリーンの巻き皺の発生を抑制できる。
【００１３】
本発明の第２の観点の巻取式横型ブラインドでは、ボトムレールの重心が上記繰出された一対のスクリーンの巻取り時に巻取パイプに後から巻取られるスクリーンの平面の延長面上に略位置するように構成したので、一対のスクリーンが全て繰出された状態で、先に一方のスクリーンのみが巻取られていくとき、ボトムレールの重心が後から巻取られる他方のスクリーンの平面の延長面上に略位置する状態に保たれる。この結果、上記と同様の効果が得られる。
【００１４】
本発明の第３の観点の巻取式横型ブラインドでは、一対のスクリーンの下端及び最下段のスラットの下端を集合させた状態で、一対のスクリーンの下端及び最下段のスラットの下端にボトムレールを取付けたので、一対のスクリーンが全て繰出された状態で、先に一方のスクリーンのみが巻取られていくとき、ボトムレールの重心が後から巻取られる他方のスクリーン側に位置する状態に確実に保たれる。この結果、他方のスクリーンにボトムレールの自重によるテンションが作用したまま、他方のスクリーンが一方のスクリーンに次第に近付いていくので、複数のスラットがより速やかに起立する。従って、起立した各スラット間に発生する隙間がより小さくなり、かつ各スラットが遮光性を有するので、これらのスラットによる窓等の遮蔽性を更に向上できる。
【００１５】
本発明の第４の観点の巻取式横型ブラインドでは、複数のスラットを一対のスクリーンより変形し難い材料により形成したので、一対のスクリーンを繰出して複数のスラットが起立状態から傾斜状態又は水平状態になったときに、複数のスラットが一対のスクリーンの間隔を保つことができる。この結果、複数のスラット間から光を十分に取込むことができる。
【図面の簡単な説明】
【００１６】
【図１】本発明実施形態の巻取式横型ブラインドの一対のスクリーンを全て繰出して複数のスラットを水平に近い状態に示し要部を破断した図４のＡ矢視図である。
【図２】全て繰出した一対のスクリーンを僅かに巻取って複数のスラットを起立させた状態を示し要部を破断した図４のＡ矢視図である。
【図３】一対のスクリーンを複数のスラットともに全て巻取った状態を示し要部を破断した図４のＡ矢視図である。
【図４】要部を破断した図１のＢ矢視図である。
【図５】一対のスクリーンの上端を巻取パイプの外周面に取付ける手順を示す要部断面図である。
【図６】一対のスクリーン及び最下段のスラットの下端をボトムレールに取付ける手順を示す要部断面図である。
【発明を実施するための形態】
【００１７】
次に本発明を実施するための形態を図面に基づいて説明する。図１及び図４に示すように、巻取式横型ブラインド１０は、天井に取付けられた支持部材１３と、この支持部材１３により回動可能に保持された巻取パイプ１４と、上端が巻取パイプ１４の外周面に取付けられた一対のスクリーン１１，１２と、一対のスクリーン１１，１２間にそれぞれ掛け渡された複数のスラット１６と、巻取パイプ１４を回動させる操作チェーン１７（操作部材）と、一対のスクリーン１１，１２の下端に取付けられたボトムレール１８とを備える。上記支持部材１３は、天井に所定の間隔をあけてそれぞれ取付けられた一対の支持ブラケット１３ａと、これらの支持ブラケット１３ａに取付けられ窓の幅方向に延びかつ天井に沿って設けられた単一の支持バー１３ｃと、この支持バー１３ｃの両端に互いに対向するようにそれぞれ取付けられた第１及び第２支持プレート１３ｄ，１３ｅとを有する。上記支持ブラケット１３ａと支持プレート１３ｄ，１３ｅは、鋼板のプレス成形により又は樹脂の成形などにより形成され、支持バー１３ｃはアルミニウムやアルミニウム合金等の押出し成形又は引抜き成形などにより形成される。
【００１８】
一方、巻取パイプ１４は断面円形の筒状に形成される（図１〜図３）。この巻取パイプ１４の一端は、第１回転軸（図示せず）を介して第１支持プレート１３ｄに回転可能に保持される（図４）。また巻取パイプ１４の他端は、抵抗付与装置（図示せず）及び第２回転軸（図示せず）を介して第２支持プレート１３ｅに一定の抵抗が付与された状態で回転可能に保持される。これにより巻取パイプ１４は水平方向に延びて設けられる。更に第２回転軸にはプーリ（図示せず）が嵌着され、このプーリに無端のリング状の上記操作チェーン１７が巻き掛けられる。この操作チェーン１７の手前側（室内側）又は後ろ側（窓側）のいずれか一方を、抵抗付与装置による一定の抵抗に抗して引下げることにより巻取パイプ１４が第１及び第２回転軸を中心に回転し、スクリーン１１，１２及びスラット１６が巻取パイプ１４に巻取られて上昇し又は繰出されて下降し、或いは一対のスクリーン１１，１２が繰出された状態で複数のスラット１６の角度が調節されるように構成される（図１〜図３）。なお、上記抵抗付与装置は、スクリーン１１，１２及びスラット１６の自重や、スクリーン１１，１２の下縁及び最下段のスラット１６の下端に取付けられたボトムレール１８の自重によってスクリーン１１，１２及びスラット１６が繰出される方向に巻取パイプ１４が回転するのを阻止する機能を有する。また、巻取パイプ１４は、アルミニウムやアルミニウム合金等の押出し成形又は引抜き成形により形成される。更に操作チェーン１７には、スクリーン１１，１２及びスラット１６を巻取パイプ１４にほぼ全て巻取ってそれ以上巻取られるのを阻止する第１ストッパ１７ａ（図３）と、スクリーン１１，１２及びスラット１６を巻取パイプ１４から全て繰出した状態から同じ方向に巻取パイプが更に回転するのを阻止する第２ストッパ１７ｂ（図１）とが設けられる。
【００１９】
一方、図５に示すように、巻取パイプ１４の外周面に同一形状の第１及び第２凹条１４ａ，１４ｂがそれぞれ形成される。これらの凹条１４ａ，１４ｂは巻取パイプ１４の長手方向にこの巻取パイプ１４の全長にわたって延びて形成される。また上記第１及び第２凹条１４ａ，１４ｂは、巻取パイプ１４の軸線を中心として略反対側に位置するように巻取パイプ１４の外周面にそれぞれ形成される。また第１及び第２凹条１４ａ，１４ｂは、巻取パイプ１４の外周面に露出する部分の幅（露出幅）が狭く形成され、巻取パイプ１４の内部に臨む部分の幅（内部幅）が上記露出幅より広く形成され、これらの凹条１４ａ，１４ｂには固定バー１９がそれぞれ挿入される。上記固定バー１９は、ポリスチレン等により、長さが巻取パイプ１４の長さと略同一に形成され、かつ幅が上記第１及び第２凹条１４ａ，１４ｂの露出幅より広くかつ内部幅より狭い帯板状に形成される。また一対のスクリーン１１，１２は室内側の第１スクリーン１１と窓側の第２スクリーン１２により構成され、第１及び第２スクリーン１１，１２の幅は巻取パイプ１４の長さと略同一になるようにそれぞれ形成される。更に第１及び第２スクリーン１１，１２は、例えばポリエステル等の繊維を用いた織物により透光性及び可撓性を有するようにそれぞれ形成される。これにより第１及び第２スクリーン１１，１２は、光を透過するとともに、巻取り時に巻取パイプ１４に密着するように変形しかつ繰出し時に鉛直方向に延びる略平面に変形するように構成される。そして、第１及び第２スクリーン１１，１２の上端に固定バー１９がステープル２１によりそれぞれ固定され（図５（ａ））、固定バー１９を包むように第１スクリーン１１が折り返された後に（図５（ｂ））、固定バー１９が第１スクリーン１１の上端とともに巻取パイプ１４の第１凹条１４ａに挿入され、固定バー１９が第２スクリーン１２の上端とともに巻取パイプ１４の第２凹条１４ｂに挿入される（図５（ｃ））。これにより第１及び第２スクリーン１１，１２の上端は巻取パイプ１４の直径方向に間隔をあけてそれぞれ取付けられる。即ち、第１凹条１４ａに固定された第１スクリーン１１の上端と第２凹条１４ｂに固定された第２スクリーン１２の上端との間隔は、巻取パイプ１４の外径より僅かに小さく形成される。
【００２０】
一方、複数のスラット１６は、上記繰出された第１及び第２スクリーン１１，１２間に鉛直方向に間隔をあけて（ほぼ等間隔に）それぞれ掛け渡される。また、複数のスラット１６の幅は第１及び第２スクリーン１１，１２の幅と同一になるようにそれぞれ形成される。そして各スラット１６は、第１スクリーン１１の上端と第２スクリーン１２の上端の間隔と略同一の幅又はこの間隔より僅かに広い幅を有するスラット本体１６ａと、このスラット本体１６ａの前縁（室内側）に沿って一体的に設けられ第１スクリーン１１に接着される第１接着片１６ｂと、スラット本体１６ａの後縁（窓側）に沿って一体的に設けられ第２スクリーン１２に接着される第２接着片１６ｃとを有する。即ち、各スラット１６にはその長手方向に延びる２本の直線状の折目がそれぞれ形成され、これらの折目によりスラット本体１６ａと第１接着片１６ｂと第２接着片１６ｃとにそれぞれ区画される。更に複数のスラット１６は、例えばポリスチレン等の繊維を用いた織物の織り方を第１及び第２スクリーン１１，１２より密にしたり、その織物を第１及び第２スクリーン１１，１２より厚くすることにより、第１及び第２スクリーン１１，１２より変形し難く形成されるとともに、遮光性及び可撓性を有するように形成される。これにより複数のスラット１６は、光を遮断するとともに、巻取り時に巻取パイプ１４に略密着するように変形するけれども、第１及び第２スクリーン１１，１２を繰出して複数のスラット１６が起立状態から傾斜状態又は水平状態になったときに、各スラット１６のスラット本体１６ａが殆ど変形せずに第１及び第２スクリーン１１，１２の間隔を一定に保つように構成される。
【００２１】
一方、ボトムレール１８はアルミニウムやアルミニウム合金等の押出し成形又は引抜き成形により、その長さは第１及び第２スクリーン１１，１２の幅と略同一に形成される。またボトムレール１８は、図６（ｃ）に詳しく示すように、その横断面において、室内側に略Ｈ字状に形成されたＨ型レール部１８ａと、窓側に略Ｃ字状に形成されたＣ型レール部１８ｂと、Ｈ型レール部１８ａ及びＣ型レール部１８ｂを間隔をあけて連結しＨ型レール部１８ａからＣ型レール部１８ｂに向うに従って上方に傾斜する板状に形成された連結片１８ｃと、連結片１８ｃより上方に位置しＣ型レール部１８ｂからＨ型レール部１８ａに向うに従って下方に傾斜するように突設された突片１８ｄとを有する。またＨ型レール部１８ａの後面（窓側の面）、Ｃ型レール部１８ｂ（室内側の面）、連結片１８ｃの上面及び突片１８ｄの下面により横断面略逆Ｃ字状の取付用凹条１８ｅが形成される。この取付用凹条１８ｅには、スクリーン１１，１２の下端及び最下段のスラット１６の下端が取付バー２２とともに挿入される。この取付バー２２は、ポリスチレン等により、スクリーン１１，１２の幅と略同一の長さを有し、幅及び厚さが取付用凹条１８ｅに挿入可能な帯板状に形成される。そして取付バー２２の一方の面に第１スクリーン１１の下端を沿わせ、取付バー２２の他方の面に最下段のスラット１６の下端を挟んで第２スクリーン１２の下端を沿わせ、この状態でステープル２３によりスクリーン１１，１２の下端及び最下段のスラップ１６の下端が取付バー２２に取付けられ（図６（ａ））、第２スクリーン１２及び最下段のスラット１６で取付バー２２を包むように、スクリーン１１，１２及び最下段のスラット１６が折り返された後に（図６（ｂ））、取付バー２２がスクリーン１１，１２の下端及び最下段のスラット１６の下端とともにボトムレール１８の取付用凹条１８ｅに挿入される（図６（ｃ））。これによりスクリーン１１，１２の下端及び最下段のスラット１６の下端を集合させた状態で、ボトムレール１８がスクリーン１１，１２の下端及び最下段のスラット１６の下端に取付けられる。このときボトムレール１８は、その重心が上記繰出された第１及び第２スクリーン１１，１２の巻取り時に巻取パイプ１４に後から巻取られるスクリーン１１側にずれるように構成される。この実施の形態では、ボトムレール１８の重心は、繰出された第１及び第２スクリーン１１，１２のうち室内側の第１スクリーン１１の平面の延長面上に略位置するように構成される。
【００２２】
なお、図１〜図５（ｃ）中の符号２４はボトムレール１８の両端にビス２６（図１〜図３）により取付けられたボトムキャップであり、符号２７はボトムレール１８の下面に取付けられボトムレール１８が床に当接したときの衝撃を吸収するクッション部材である。また、図６（ｃ）中の符号２８はＨ型レール部１８ａの露出面（室内側の面）を被覆するシート部材である。このシート部材２８は、上記露出面を被覆するシート本体２８ａと、シート本体２８ａの長手方向に直交する方向の両端にそれぞれ接着されＨ型レール部１８ａ内にそれぞれ突設されたアッパ被係止部１８ｆ及びロア被係止部１８ｇにそれぞれ係止する一対の係止部２８ｂ，２８ｂとを有する。上記シート本体２８ａの表面には模様又は色彩等が施されており、これによりボトムレール１８の美観を向上できるようになっている。更に、図６（ｃ）中の符号２９はＣ型レール部１８ｂに収容されＣ型レール部１８ｂの全長にわたって移動できる可動錘であり、符号３１はボトムレール１８の長手方向に移動し所望の位置で可動錘２９を固定する固定具である。上記可動錘２９をＣ型レール部１８ｂの長手方向に移動させることにより、スクリーン１１，１２に作用させるテンションをスクリーン１１，１２の幅方向で調整でき、可動錘２９を所定の位置に固定具３１で固定することにより、スクリーン１１，１２の巻取り時及び繰出し時にスクリーン１１，１２を常に水平に保つことができるようになっている。
【００２３】
このように構成された巻取式横型ブラインド１０の動作を説明する。操作チェーン１７を操作して第１及び第２スクリーン１１，１２を複数のスラット１６ともに全て繰出すと、ボトムレール１８の下端が床に当接する。このときクッション部材２７（図６（ｃ））がボトムレール１８の床への当接時における衝撃を吸収する。また複数のスラット１６をスクリーン１１，１２より変形し難い材料により形成したので、スクリーン１１，１２を繰出して複数のスラット１６が起立状態から傾斜状態又は水平状態になったときに、複数のスラット１６が第１及び第２スクリーン１１，１２の間隔を保つことができる。この結果、複数のスラット１６間から屋外の光を十分に室内に取込むことができる。
【００２４】
第１及び第２スクリーン１１，１２を複数のスラット１６ともに全て繰出した状態から操作チェーン１７を操作して、巻取パイプ１４を図１の実線矢印の方向に回転させると、先に窓側の第２スクリーン１２のみが巻取られていく（図２）。このとき、巻取パイプ１４に後から巻取られる第１スクリーン１１側にボトムレール１８の重心をずらしたので、ボトムレール１８の重心が第１スクリーン１１側に位置する状態に保たれる。この結果、室内側の第１スクリーン１１にボトムレール１８の自重によるテンションが作用したまま、第１スクリーン１１が窓側の第２スクリーン１２に次第に近付いていくので、複数のスラット１６が速やかに起立する。従って、起立した各スラット１６間に発生する隙間が極めて小さくなり、かつ各スラット１６が遮光性を有するので、これらのスラット１６による窓等の遮蔽性を向上できる。
【００２５】
また、スクリーン１１，１２の下端及び最下段のスラット１６の下端を集合させた状態で、スクリーン１１，１２の下端及び最下段のスラット１６の下端にボトムレール１８を取付けたので、スクリーン１１，１２が全て繰出された状態で、先に窓側の第２スクリーン１２のみが巻取られていくとき、ボトムレール１８の重心が後から巻取られる第１スクリーン１１側に位置する状態に確実に保たれる。この結果、室内側の第１スクリーン１１にボトムレール１８の自重によるテンションが作用したまま、第１スクリーン１１が窓側の第２スクリーン１２に次第に近付いていくので、複数のスラット１６がより速やかに起立する。従って、起立した各スラット１６間に発生する隙間がより小さくなり、かつ各スラット１６が遮光性を有するので、これらのスラット１６による窓等の遮蔽性を更に向上できる。
【００２６】
各スラット１６が起立した状態から、操作チェーン１７を操作して、巻取パイプ１４を図２の実線矢印の方向に回転させると、第２スクリーン１２の後から第１スクリーン１１も巻取パイプ１４に巻取られる。このとき内外のスクリーン１１，１２の周長差により、巻取パイプ１４に後から巻取られる第１スクリーン１１に巻き皺が発生し易いけれども、ボトムレール１８の重心を第１スクリーン１１側にずらしたので、第１スクリーン１１にテンションが加わる。この結果、第１スクリーン１１の巻き皺の発生を抑制できる。なお、上記実施の形態では、支持部材を天井に取付けたが、支持部材を壁又は窓枠に取付けてもよい。
【符号の説明】
【００２７】
１０  巻取式横型ブラインド
１１  第１スクリーン
１２  第２スクリーン
１３  支持部材
１４  巻取パイプ
１６  スラット
１７  操作チェーン（操作部材）
１８  ボトムレール
【図１】
2015078559.tif 000003
【図２】
2015078559.tif 000004
【図３】
2015078559.tif 000005
【図４】
2015078559.tif 000006
【図５】
2015078559.tif 000007
【図６】
2015078559.tif 000008